(57)【要約】      （修正有）【課題】簡単な構成で、ファンの故障を迅速かつ正確に把握することができるファン故障診断装置、ファン故障診断方法及びプログラムを提供する。【解決手段】本ファン故障診断装置Ａは、ファン１への電源供給のＯＮ／ＯＦＦ切替を行う切替制御回路３と、ファン１の回転数を検出する回転数検出回路４と、回転数検出回路４により検出されたファン１の回転数情報を記憶する回転数履歴部５と、ファン１への電源供給をＯＮ状態からＯＦＦ状態に切り替えるように切替制御回路３に指示する制御指示部６と、ファン１への電源供給をＯＮ状態からＯＦＦ状態に切り替えた後に回転数検出回路４によって検出された第１の回転数情報と、切り替える前に回転数履歴部５に記憶されている第２の回転数情報とを比較する回転数比較部７と、回転数比較部７により第１の回転数情報と第２の回転数情報との間に変化がない場合に、ファン１の故障を外部に通報する通報部８とを有する。【選択図】図１
2008208806.tif 000002
【特許請求の範囲】
【請求項１】
ファンへの電源供給のＯＮ／ＯＦＦ切替を行う切替制御手段と、
前記ファンの回転数を検出する回転数検出手段と、
前記回転数検出手段により検出されたファンの回転数情報を記憶する記憶手段と、
前記ファンへの電源供給をＯＮ状態からＯＦＦ状態に切り替えるように前記切替制御手段に指示する制御指示手段と、
前記制御指示手段による切替制御手段への指示により、前記ファンへの電源供給をＯＮ状態からＯＦＦ状態に切り替えた後に前記回転数検出手段によって検出された第１の回転数情報と、切り替える前に前記記憶手段に記憶されている第２の回転数情報とを比較する比較手段と、
前記比較手段により第１の回転数情報と第２の回転数情報との間に変化がない場合に、ファンが故障していると判断し、外部に通報する通報手段と、
を有することを特徴とするファン故障診断装置。
【請求項２】
前記ファンは複数個有し、
前記制御指示手段は、前記ファンに対して、順次ＯＮ状態からＯＦＦ状態に切り替えるように前記切替制御手段に指示することにより、個々の前記ファンの故障を確認していくことを特徴とする請求項１に記載のファン故障診断装置。
【請求項３】
ファンの回転数を制御する回転数制御手段と、
前記ファンの回転数を検出する回転数検出手段と、
前記回転数検出手段により検出されたファンの回転数情報を記憶する記憶手段と、
前記ファンの回転数を変更するように前記回転数制御手段に指示する制御指示手段と、
前記制御指示手段による回転数制御手段への指示により、前記ファンの回転数を変更した後に前記回転数検出手段によって検出された第１の回転数情報と、変更する前に前記記憶手段に記憶されている第２の回転数情報とを比較する比較手段と、
前記比較手段により第１の回転数情報と第２の回転数情報との間に変化がない場合に、ファンが故障と判断しているものと判断し、外部に通報する通報手段と、
を有することを特徴とするファン故障診断装置。
【請求項４】
前記ファンは複数個有し、
前記制御指示手段は、前記ファンに対して、順次回転数を変更するように前記回転数制御手段に指示することにより、個々の前記ファンの故障を確認していくことを特徴とする請求項３に記載のファン故障診断装置。
【請求項５】
ファンの回転数を検出するステップと、
検出されたファンの回転数情報を記憶手段に記憶させるステップと、
前記ファンへの電源供給をＯＮ状態からＯＦＦ状態に切り替えるステップと、
前記ファンへの電源供給をＯＮ状態からＯＦＦ状態に切り替えた後に検出された第１の回転数情報と、切り替える前に前記記憶手段に記憶されている第２の回転数情報とを比較するステップと、
前記第１の回転数情報と第２の回転数情報との間に変化がない場合に、ファンが故障と判断しているものと判断し、外部に通報するステップと、
を有することを特徴とするファン故障診断方法。
【請求項６】
前記ファンの回転数を検出するステップと、
検出されたファンの回転数情報を記憶手段に記憶させるステップと、
前記ファンの回転数を変更するステップと、
前記ファンの回転数を変更した後に検出された第１の回転数情報と、変更する前に前記記憶手段に記憶されている第２の回転数情報とを比較するステップと、
前記第１の回転数情報と第２の回転数情報との間に変化がない場合に、ファンが故障と判断しているものと判断し、外部に通報するステップと、
を有することを特徴とするファン故障診断方法。
【請求項７】
ファンの回転数を検出する処理と、
検出されたファンの回転数情報を記憶手段に記憶させる処理と、
前記ファンへの電源供給をＯＮ状態からＯＦＦ状態に切り替える処理と、
前記ファンへの電源供給をＯＮ状態からＯＦＦ状態に切り替えた後に検出された第１の回転数情報と、切り替える前に前記記憶手段に記憶されている第２の回転数情報とを比較する処理と、
前記第１の回転数情報と第２の回転数情報との間に変化がない場合に、ファンが故障と判断しているものと判断し、外部に通報する処理と、
をコンピュータに実行させることを特徴とするプログラム。
【請求項８】
前記ファンの回転数を検出する処理と、
検出されたファンの回転数情報を記憶手段に記憶させる処理と、
前記ファンの回転数を変更する処理と、
前記ファンの回転数を変更した後に検出された第１の回転数情報と、変更する前に前記記憶手段に記憶されている第２の回転数情報とを比較する処理と、
前記第１の回転数情報と第２の回転数情報との間に変化がない場合に、ファンが故障と判断しているものと判断し、外部に通報する処理と、
をコンピュータに実行させることを特徴とするプログラム。
【発明の詳細な説明】
【技術分野】
【０００１】
本発明は、ファン故障診断装置、ファン故障診断方法及びプログラムに関し、特に、コンピュータ等の各種電子機器に設置された冷却用のファンの故障を診断するために用いられるファン故障診断装置、ファン故障診断方法及びプログラムに関する。
【背景技術】
【０００２】
一般に、コンピュータ等の各種電子機器では、内部の発熱による温度ストレスから電子機器を保護するために、冷却機構の実装が必須となっている。冷却手段として、多くの電子機器で使用されている手段の一つに、機器の内部にファンを実装し、吸気・排気させることが一般的に行われている。この手段では、コンピュータ機器内部に多くのファンを実装し、高回転させることにより、冷却能力を向上させることができる。実際、ファン冷却による装置のほとんどは、複数のファンを搭載している。ファンが故障した場合には、冷却能率が低下し、機器に対して温度ストレスを与えてしまうことから、ファン障害を把握し、交換等の処置を迅速に実施することが重要となっている。
【０００３】
従来、ファンの障害を把握するために、ファンの回転数を検出し、検出値が決められた閾値を下回った場合にはファン故障と判断する方法が用いられている（例えば、特許文献１〜４参照。以下、この技術を従来例１という）。
【０００４】
また、ファンモータの通電電流を検出する通電電流検出回路を併設し、その通電電流の異常信号、もしくは回転数異常検出回路の異常信号の、何れの信号でも警報信号を発生するように構成したファンモータが提案されている（例えば、特許文献５参照。以下、この技術を従来例２という）。
【特許文献１】特開２００５−９０９１３号公報
【特許文献２】特開２００３−１１１４７５号公報
【特許文献３】特開２０００−３３３４８７号公報
【特許文献４】特開平５−１８９０８７号公報
【特許文献５】特開２００３−１１１４７８号公報
【発明の開示】
【発明が解決しようとする課題】
【０００５】
従来例１では、高密度実装が進んだ最近の電子機器においては、故障により自身で回転しなくなったファンが他のファンが引き起こす風力により空転してしまい、故障を検出することができない場合があった。このような場合では、冷却のための風力が足りず、熱ストレスにより電子機器の誤動作を招いたり、故障率の増加を招く原因となり、ファンの故障を迅速かつ正確に把握することが困難であるという課題があった。
【０００６】
従来例２では、回転数異常検出回路を備えるファンモータを複数個同じ通風路に対し直列あるいは並列配置する構成において、故障により停止したファンモータが他のファンモータの風により回転させられ、閾値以上の回転を維持することがあり、このような状況でも故障ファンモータの故障を検出することは可能である。しかし、ファンモータの通電電流を検出する通電電流検出回路を併設する必要があるため、構成が複雑になり、装置全体のコストが高くなるという課題があった。
【０００７】
また、従来例１及び従来例２の技術は、いずれも通常の運転モード時にファンが故障しているか否かを検出するものであり、故障診断モードにして、積極的にファンの故障を検出するものではなかった。
【０００８】
本発明は、上記課題を解決するためになされたものであり、簡単な構成で、ファンの故障を迅速かつ正確に把握することができるファン故障診断装置、ファン故障診断方法及びプログラムを提供することを目的とする。
【課題を解決するための手段】
【０００９】
本発明の第１のファン故障診断装置は、
ファンへの電源供給のＯＮ／ＯＦＦ切替を行う切替制御手段と、
前記ファンの回転数を検出する回転数検出手段と、
前記回転数検出手段により検出されたファンの回転数情報を記憶する記憶手段と、
前記ファンへの電源供給をＯＮ状態からＯＦＦ状態に切り替えるように前記切替制御手段に指示する制御指示手段と、
前記制御指示手段による切替制御手段への指示により、前記ファンへの電源供給をＯＮ状態からＯＦＦ状態に切り替えた後に前記回転数検出手段によって検出された第１の回転数情報と、切り替える前に前記記憶手段に記憶されている第２の回転数情報とを比較する比較手段と、
前記比較手段により第１の回転数情報と第２の回転数情報との間に変化がない場合に、ファンが故障していると判断し、外部に通報する通報手段と、
を有することを特徴とするものである。
【００１０】
前記ファンは複数個有し、前記制御指示手段は、前記ファンに対して、順次ＯＮ状態からＯＦＦ状態に切り替えるように前記切替制御手段に指示することにより、個々の前記ファンの故障を確認していくように構成してもよい。
【００１１】
本発明の第２のファン故障診断装置は、
ファンの回転数を制御する回転数制御手段と、
前記ファンの回転数を検出する回転数検出手段と、
前記回転数検出手段により検出されたファンの回転数情報を記憶する記憶手段と、
前記ファンの回転数を変更するように前記回転数制御手段に指示する制御指示手段と、
前記制御指示手段による回転数制御手段への指示により、前記ファンの回転数を変更した後に前記回転数検出手段によって検出された第１の回転数情報と、変更する前に前記記憶手段に記憶されている第２の回転数情報とを比較する比較手段と、
前記比較手段により第１の回転数情報と第２の回転数情報との間に変化がない場合に、ファンが故障と判断しているものと判断し、外部に通報する通報手段と、
を有することを特徴とするものである。
【００１２】
前記ファンは複数個有し、前記制御指示手段は、前記ファンに対して、順次回転数を変更するように前記回転数制御手段に指示することにより、個々の前記ファンの故障を確認していくように構成してもよい。
【００１３】
本発明の第１のファン故障診断方法は、
ファンの回転数を検出するステップと、
検出されたファンの回転数情報を記憶手段に記憶させるステップと、
前記ファンへの電源供給をＯＮ状態からＯＦＦ状態に切り替えるステップと、
前記ファンへの電源供給をＯＮ状態からＯＦＦ状態に切り替えた後に検出された第１の回転数情報と、切り替える前に前記記憶手段に記憶されている第２の回転数情報とを比較するステップと、
前記第１の回転数情報と第２の回転数情報との間に変化がない場合に、ファンが故障と判断しているものと判断し、外部に通報するステップと、
を有することを特徴とするものである。
【００１４】
本発明の第２のファン故障診断方法は、
前記ファンの回転数を検出するステップと、
検出されたファンの回転数情報を記憶手段に記憶させるステップと、
前記ファンの回転数を変更するステップと、
前記ファンの回転数を変更した後に検出された第１の回転数情報と、変更する前に前記記憶手段に記憶されている第２の回転数情報とを比較するステップと、
前記第１の回転数情報と第２の回転数情報との間に変化がない場合に、ファンが故障と判断しているものと判断し、外部に通報するステップと、
を有することを特徴とするものである。
【００１５】
本発明の第１のプログラムは、
ファンの回転数を検出する処理と、
検出されたファンの回転数情報を記憶手段に記憶させる処理と、
前記ファンへの電源供給をＯＮ状態からＯＦＦ状態に切り替える処理と、
前記ファンへの電源供給をＯＮ状態からＯＦＦ状態に切り替えた後に検出された第１の回転数情報と、切り替える前に前記記憶手段に記憶されている第２の回転数情報とを比較する処理と、
前記第１の回転数情報と第２の回転数情報との間に変化がない場合に、ファンが故障と判断しているものと判断し、外部に通報する処理と、
をコンピュータに実行させることを特徴とするものである。
【００１６】
本発明の第２のプログラムは、
前記ファンの回転数を検出する処理と、
検出されたファンの回転数情報を記憶手段に記憶させる処理と、
前記ファンの回転数を変更する処理と、
前記ファンの回転数を変更した後に検出された第１の回転数情報と、変更する前に前記記憶手段に記憶されている第２の回転数情報とを比較する処理と、
前記第１の回転数情報と第２の回転数情報との間に変化がない場合に、ファンが故障と判断しているものと判断し、外部に通報する処理と、
をコンピュータに実行させることを特徴とするものである。
【発明の効果】
【００１７】
請求項１，５，７に係る発明によれば、ファンへの電源供給をＯＮ／ＯＦＦ切り替えを行うことにより、それにファンの回転が追従するかどうかを確認する比較手段を設けているので、ファンが空転による回転状態となっていても、ファンの故障を迅速かつ正確に把握することができる。
【００１８】
また、個々のファンに対する電源のＯＮ／ＯＦＦの切り替えを行う機能をハードウェア側に追加すれば、残りはファームウェアやソフトウェア側で実現することができるので、従来のように、ファンに対する供給電源の電圧や電流値などを計測するようなハードウェア変更を行うことなく、小規模のハードウェア変更により、機能を実現できる。その結果、構成が簡単になり、製造コストを低減できる。
【００１９】
さらに、実装されているファンがＰＷＭ(Pulse Width Modulation）制御により回転数を自由に変更することができるように構成されているハードウェアであれば、ハードウェア側を変更する必要はなく、ファームウェアとソフトウェア側の変更のみで機能を実現することが可能である。
【００２０】
請求項３，６，８に係る発明によれば、ＰＷＭ制御による回転数変更指示に対して、ファンの回転数が追従して変化することを確認することによって、ファンの正常性を確認することができる。
【００２１】
請求項２，４に係る発明によれば、複数のファンが並列又は直接で実装されていたり、複数のファンを１つのモジュールとして構成している機器において発生する可能性が高いファンの空転に対しても、ファンの故障を迅速かつ正確に把握することができる。
【発明を実施するための最良の形態】
【００２２】
以下、本発明の実施の形態について図面を参照して説明する。図１は本発明の第１の実施形態例に係るファン故障診断装置の構成を示すブロック図である。
【００２３】
本発明の第１の実施形態例に係るファン故障診断装置Ａは、コンピュータ等の各種電子機器に設けられた冷却用のファン１の故障を診断するための装置である。
【００２４】
図１に示すように、複数のファン１・・・が並列又は直列状に配置されており、各ファン１は電源回路２から供給される電源によって駆動する。
【００２５】
本ファン故障診断装置Ａは、ファン１への電源供給のＯＮ／ＯＦＦ切替を行う切替制御回路３（切替制御手段）と、ファン１の回転数を検出する回転数検出回路４（回転数検出手段）と、回転数検出回路４により検出されたファン１の回転数情報を記憶する回転数履歴部５（記憶手段）と、ファン１への電源供給をＯＮ状態からＯＦＦ状態に切り替えるように切替制御回路３に指示する制御指示部６（制御指示手段）と、制御指示部６による切替制御回路３への指示により、ファン１への電源供給をＯＮ状態からＯＦＦ状態に切り替えた後に回転数検出回路４によって検出された第１の回転数情報と、切り替える前に回転数履歴部５に記憶されている第２の回転数情報とを比較する回転数比較部７（比較手段）と、回転数比較部７により第１の回転数情報と第２の回転数情報との間に変化がない場合に、ファン１が故障しているものと判断し、外部に通報する通報部８とを有する。
【００２６】
ファン１と電源回路２との間に設けられた切替制御回路３は、ファン１毎に供給される電源のＯＮ／ＯＦＦの切替を行う。
【００２７】
電源のＯＮ／ＯＦＦの指示は、制御指示部６によって行われ、定期的に、実装されているファン１を順番に供給電源のＯＮ／ＯＦＦの切替を実施する。
【００２８】
ファン１からは、ファン１の回転数を検出するために必要なパルス信号が出力されており、このパルス信号は、回転数検出回路４において処理されて、個々のファン１における回転数が検出される。
【００２９】
回転数検出回路４と制御指示部６との間には、履歴書込・比較切替部９が設けられている。履歴書込・比較切替部９では、制御指示部６において、スイッチＯＮの指示状態であれば、回転数検出回路４からの回転数情報を回転数履歴部５に記録する。逆に、スイッチＯＦＦの指示状態であれば、回転数検出回路４からの回転数情報を回転数比較部７に送る。
【００３０】
回転数比較部７では、回転数履歴部５に格納されている第２の回転数情報と、履歴書込・比較切替部９から送られた第１の回転数情報との比較を行う。比較の結果、２つの回転数情報が同じ値であった場合に、ファン１が空転しているものと判断して、通報部８より、ファン障害発生の内容をログとして記録したり、外部に通報したりする。
【００３１】
図２は本発明の第１の実施形態例に係るファン故障診断装置Ａの動作を説明するためのフローチャートである。
【００３２】
まず、初期状態としては、制御指示部６はＯＮの指示を出しており（ステップＡ１）、切替制御回路３はＯＮ状態となっており、各ファン１への電源供給がＯＮ状態となっている（ステップＡ２）。
【００３３】
次いで、回転数検出回路４において、ファン１の回転数を検出する（ステップＡ３）。
【００３４】
次いで、履歴書込・比較切替部９では、制御指示部６からのＯＮの指示を受けている場合、回転数検出回路４からの回転数情報を回転数履歴部５に送る。回転数履歴部５では、個々のファン毎に回転数情報を格納する（ステップＡ４）。
【００３５】
回転数履歴部５に情報が格納されている状態になったら、制御指示部６では、定期的に切替制御回路３に対して、ＯＦＦの指示を出し（ステップＡ１）、これによって複数のファン１の中から１つのファン１の電源供給がＯＦＦ状態にされる（ステップＡ５）。
【００３６】
次いで、回転数検出回路４において、ファン１の回転数を検出する（ステップＡ６）。
【００３７】
次いで、履歴書込・比較切替部９では、制御指示部６からのＯＦＦの指示を受けている場合、回転数検出回路４からの回転数情報を回転数比較部７に送る。回転数比較部７では、履歴書込・比較切替部９からの第２の回転数情報と、回転数履歴部５からの第１の回転数情報とを比較する（ステップＡ７）。比較により、回転数の変化の有無を確認し（ステップＡ８）、回転数に変化があった場合は、ファンは正常であると判断する（ステップＡ１１）。つまり、回転数が変化したのはファン１への供給電源を切ったことにより、それに追従しファン１の回転数が低下したためであり、ファン１の動作は正常であると判断される。
【００３８】
一方、回転数比較部７において、比較の結果（ステップＡ８）、回転数に変化が無かった場合は、ファンは異常であると判断する（ステップＡ９）。つまり、ファン１への供給電源を切っても、それに追従しなかったことから、ファン１の内部の電源ライン障害やファン１への電源供給経路上に障害が発生していることが考えられる。
【００３９】
障害内容は、通報部８において、ログファイルへの書込みや外部への通報が行われる（ステップＡ１０）。
【００４０】
このようにして、制御指示部６は、複数設けられたファン１の個々のファンに対して、順次電源供給のＯＦＦ、ＯＮを切り替えて、回転数を比較していくことにより（ステップＡ１２）、すべてのファン１を正常性を確認していく（ステップＡ１３）。
【００４１】
なお、第１の実施形態例において、回転数履歴部５に格納されている回転数情報としてファン１への電源供給がＯＮの際に回転数検出回路４にて検出された回転数を使用したが、通常動作時のファン１の回転数実測値が判明している場合は、あらかじめ、回転数履歴部５に回転数情報を固定値として書き込んでおいてもよい。
【００４２】
本発明の第１の実施形態例に係るファン故障診断装置Ａによれば、ファン１への電源供給をＯＮ／ＯＦＦ切り替えを行うことにより、それにファン１の回転が追従するかどうかを確認する回転数比較部７を設けているので、ファン１が空転による回転状態となっていても、ファン１の故障を迅速かつ正確に把握することができる。
【００４３】
また、個々のファン１に対する電源のＯＮ／ＯＦＦの切り替えを行う機能をハードウェア側に追加すれば、残りはファームウェアやソフトウェア側で実現することができるので、従来のように、ファン１に対する供給電源の電圧や電流値などを計測するようなハードウェア変更を行うことなく、小規模のハードウェア変更により、機能を実現できる。その結果、構成が簡単になり、製造コストを低減できる。
【００４４】
さらに、実装されているファン１がＰＷＭ(Pulse Width Modulation）制御により回転数を自由に変更することができるように構成されているハードウェアであれば、ハードウェア側を変更する必要はなく、ファームウェアとソフトウェア側の変更のみで機能を実現することが可能である。
【００４５】
図３は本発明の第２の実施形態例に係るファン故障診断装置の構成を示すブロック図である。なお、従来と同一に相当する構成要素は同一符号を付して、その説明を省略する。
【００４６】
図３に示すように、本発明の第２の実施形態例に係るファン故障診断装置Ｂでは、第１の実施形態例の切替制御回路３の代わりに、回転数制御回路１０（回転数制御手段）が設けられている。
【００４７】
ファン１は、ＰＷＭ制御による回転数を変更することが可能なファンであるとする。
【００４８】
制御指示部６は、回転数制御回路１０に対して、ファン１の回転数の変更を指示する。
【００４９】
回転数制御回路１０からのＰＷＭ制御によって、ファン１の回転数は変更される。ファン１の回転数は減少させるだけでなく、増加させてもよい。
【００５０】
なお、第２の実施形態例に係るファン故障診断装置Ｂによって行われる故障診断の動作モードは、通常のＰＷＭ制御での風量調整モードとは異なるモードである。
【００５１】
図４は本発明の第２の実施形態例に係るファン故障診断装置Ｂの動作を説明するためのフローチャートである。
【００５２】
まず、初期状態としては、制御指示部６は所定の回転数での回転の指示を出しており（ステップＢ１）、回転数制御回路１０の制御により、各ファン１は、所定の回転数で回転されている（ステップＢ２）。
【００５３】
次いで、回転数検出回路４において、ファン１の回転数を検出する（ステップＢ３）。
【００５４】
次いで、履歴書込・比較切替部９では、制御指示部６から回転数変更の指示を受けていない場合、回転数検出回路４からの回転数情報を回転数履歴部５に送る。回転数履歴部５では、個々のファン１毎に回転数情報を格納する（ステップＢ４）。
【００５５】
回転数履歴部５に情報が格納されている状態になったら、制御指示部６では、定期的に回転数制御回路１０に対して、回転数変更の指示を出し（ステップＢ１）、これによって複数のファン１の中から１つのファン１の回転数が変更される（ステップＢ５）。
【００５６】
次いで、回転数検出回路４において、ファン１の回転数を検出する（ステップＢ６）。
【００５７】
次いで、履歴書込・比較切替部９では、制御指示部６からの回転数変更の指示を受けている場合、回転数検出回路４からの回転数情報を回転数比較部７に送る。回転数比較部７では、履歴書込・比較切替部９からの第２の回転数情報と、回転数履歴部５からの第１の回転数情報とを比較する（ステップＢ７）。比較により、回転数の変化の有無を確認し（ステップＢ８）、回転数に変化があった場合は、ファン１は正常であると判断する（ステップＢ１１）。つまり、回転数が変化したのはファン１への回転数を変更したことにより、それに追従しファン１の回転数が低下したためであり、ファン１の動作は正常であると判断される。
【００５８】
一方、回転数比較部７において、比較の結果（ステップＢ８）、回転数に変化が無かった場合は、ファン１は異常であると判断する（ステップＢ９）。つまり、ファン１への回転数を変更しても、それに追従しなかったことから、ファン１内部の電源ライン障害やファン１への電源供給経路上に障害が発生していることが考えられる。
【００５９】
障害内容は、通報部８において、ログファイルへの書込みや外部への通報が行われる（ステップＢ１０）。
【００６０】
このようにして、制御指示部６は、複数設けられたファン１の個々のファンに対して、順次ファン１の回転数を変化させて、回転数情報を比較していくことにより（ステップＢ１２）、すべてのファン１を正常性を確認していく（ステップＢ１３）。
【００６１】
本発明の第２の実施形態例に係るファン故障診断装置Ｂによれば、ＰＷＭ制御による回転数変更指示に対して、ファン１の回転数が追従して変化することを確認することによって、ファン１の正常性を確認することができる。
【００６２】
また、第１の実施形態例では、ファン１を停止させることによって、その間、冷却能率が低下してしまうという問題があるが、第２の実施形態例では、ファン１の回転数を上昇させる制御を実施してファン１の回転数が追従することを確認してもよいため、このような問題は発生することはない。
【００６３】
また、ＰＷＭ制御ファンによるサーバ冷却を行っているコンピュータ装置は、多く存在しているため、第２の実施形態例では、このような装置に適用しても、ファームウェアやソフトウェア側の変更のみで実現することが可能である。
【００６４】
なお、ＰＷＭ制御による回転数の変更が行えないファンでは、第２の実施形態例は実現できないため、第１の実施形態例により実現することになる。
【００６５】
図５は本発明の第３の実施形態例に係るプログラムを示すブロック図である。図５に示すように、本発明の第３の実施の形態は、上記説明された第１の実施形態例に係るファン故障診断装置Ａの動作を制御するプログラム１１に関する。このプログラム１１は、磁気ディスク、ＣＤ−ＲＯＭ、半導体メモリ等の記録媒体に記録されていてもよく、通信ネットワークを介してダウンロードされるものでもよい。
【００６６】
図６は本発明の第４の実施形態例に係るプログラムを示すブロック図である。図６に示すように、本発明の第４の実施の形態は、上記説明された第２の実施形態例に係るファン故障診断装置Ｂの動作を制御するプログラム１２に関する。このプログラム１２は、磁気ディスク、ＣＤ−ＲＯＭ、半導体メモリ等の記録媒体に記録されていてもよく、通信ネットワークを介してダウンロードされるものでもよい。
【００６７】
本発明は、上記実施の形態に限定されることはなく、特許請求の範囲に記載された技術的事項の範囲内において、種々の変更が可能である。
【００６８】
例えば、本発明をコンピュータ等の電子機器に適用する場合、定期的に故障診断の動作モードによって、ファン１の故障があるか否か診断するように構成しているが、電子機器に専用の操作スイッチを設けて、保守員が定期点検の際に当該操作スイッチを押して、ファン１の正常性をその場で確認できるように構成してもよい。
【００６９】
また、ファン１が一つだけの場合にも適用可能である。
【産業上の利用可能性】
【００７０】
本発明は、コンピュータ等の各種電子機器に設置された冷却用のファン１の故障を診断するために用いられる。
【図面の簡単な説明】
【００７１】
【図１】本発明の第１の実施形態例に係るファン故障診断装置の構成を示すブロック図である。
【図２】本発明の第１の実施形態例に係るファン故障診断装置の動作を説明するためのフローチャートである。
【図３】本発明の第２の実施形態例に係るファン故障診断装置の構成を示すブロック図である。
【図４】本発明の第２の実施形態例に係るファン故障診断装置の動作を説明するためのフローチャートである。
【図５】本発明の第３の実施形態例に係るプログラムを示すブロック図である。
【図６】本発明の第４の実施形態例に係るプログラムを示すブロック図である。
【符号の説明】
【００７２】
Ａ：第１の実施形態例に係るファン故障診断装置
Ｂ：第２の実施形態例に係るファン故障診断装置
１：ファン
２：電源回路
３：切替制御回路
４：回転数検出回路
５：回転数履歴部
６：制御指示部
７：回転数比較部
８：通報部
９：履歴書込・比較切替部
１０：回転数制御回路
１１：プログラム
１２：プログラム
【図１】
2008208806.tif 000003
【図２】
2008208806.tif 000004
【図３】
2008208806.tif 000005
【図４】
2008208806.tif 000006
【図５】
2008208806.tif 000007
【図６】
2008208806.tif 000008